(57)【特許請求の範囲】
【請求項１】
排水を受ける入水手段と、排水を排出する排水手段と、排水処理が必要な装置に取り付けるための取り付け手段とを備えた排水カバーを、積み重ねる方向に配置し、
前記取り付け手段の寸法は、前記装置の高さに対応して、複数種類用意されていることを特徴とする排水ドレイン構造。
【請求項２】
排水を受ける入水手段と、排水を排出する排水手段と、排水処理が必要な装置に取り付けるための取り付け手段とを備えた排水カバーを、積み重ねる方向に配置し、
前記取り付け手段が、前記装置の高さに対応して、伸縮可能な伸縮手段を備えたことを特徴とする排水ドレイン構造。
【請求項３】
前記伸縮手段が、伸縮性を有する素材、又は、伸縮可能な機構を備えたことを特徴とする請求項２に記載の排水ドレイン構造。
【請求項４】
前記排水手段が、排水管を接続する手段を備えたことを特徴とする請求項１乃至３の何れか１項に記載の排水ドレイン構造。
【請求項５】
前記入水手段が、排水管の端部を受け入れる手段を備えたことを特徴とする請求項１乃至４の何れか１項に記載の排水ドレイン構造。
【請求項６】
前記入水手段が、前記取り付け手段を兼用していることを特徴とする請求項１乃至５の何れか１項に記載の排水ドレイン構造。
【請求項７】
前記取り付け手段が、取り付け位置のズレを調整する手段を備えたことを特徴とする請求項１乃至６の何れか１項に記載の排水ドレイン構造。
【発明の詳細な説明】
【技術分野】
【０００１】
本発明は、排水システムに関し、特に積み重ね構造を有する排水ドレイン構造に関する。
【背景技術】
【０００２】
積み重ね構造を有した排水システムに関して、冷却水を使用したモジュールを搭載した収納枠またはケースの底部に排水口を設けておき、当該収納枠または当該ケースを積み重ねることで、排水口からの漏水を順次集積して、漏水を検知する検知器に誘導する漏水検知方式が、特許文献１、２に開示されている。また、冷却水を使用したモジュールの漏水を受けるモジュールの底板に排水穴を設け、そこに排水フランジを設け、当該モジュールを積み重ねて、漏水を検知する水冷式サイリスタモジュールが、特許文献３に開示されている。
【０００３】
これらの文献では、冷却水を使用したモジュールを搭載した収納枠またはケースの底部、または、モジュールの底板にて漏水をいったん受けて、排水口、または、排水穴に設置の排水フランジから排水する構造を有し、モジュールを搭載した収納枠またはケースおよびモジュールを積み重ねることで、漏水を鉛直に落下せしめて、漏水を検知する方式としている。
【０００４】
一方、排水処理が必要な装置の排水処理の関連技術を図３０に示す。図３０において、水冷装置１の下部に、水冷装置の排水が排出される排水溝２の排水を受けるドレイン板３を設けていた。このドレイン板３には、排水を行うための排水管４が接続されており、水冷装置１の排水をドレイン板３で受けて、排水管４を通して排水を処理する構造としていた。尚、本発明においては、排水処理が必要な装置を、水冷装置と呼称する。
【先行技術文献】
【特許文献】
【０００５】
【特許文献１】実開昭５８−１８７１５５号公報
【特許文献２】実開昭６３−４８３８７号公報
【特許文献３】特開平８−１６６１００号公報
【発明の概要】
【発明が解決しようとする課題】
【０００６】
上述のとおり、積み重ね構造を有した排水システムにおいては、冷却水を使用しているモジュールおよび装置の底部もしくは、該モジュールおよび該装置を搭載した収納枠またはケースの底部に排水口を設けて積み重ねる構造とし、漏水を鉛直に落下させ、漏水を早期に検知する構造としているために、排水システムとして円滑な排水処理を行うものではない。
【０００７】
また、水冷装置の排水処理では、関連技術として説明したとおり、該装置の下部に、排水を受けるドレイン板を設ける構造としているために、該装置が複数ある場合には、ドレイン板が同数必要となって、積み重ねて実装する際の装置の実装効率を阻害していた。そして、ドレイン板に接続される排水管も装置台数と同数必要となり、それら排水管の接続が煩雑となるという問題があった。
【０００８】
さらに、水冷装置の積み重ねによる排水システムとしているため、排水処理が必要でない装置との混在に対応できる柔軟な排水システムとなっていなかった。
【０００９】
本発明は、かかる状況に基づいてなされたものである。本発明の目的は、水冷装置を積み重ねた時の排水システムにおいて、ラックなどへの実装効率の改善を可能とした排水ドレイン構造を提供することにある。
【課題を解決するための手段】
【００１０】
本発明の排水ドレイン構造は、排水を受ける入水手段と、排水を排出する排水手段と、排水処理が必要な装置に取り付けるための取り付け手段とを備えた排水カバーを、積み重ねる方向に配置することを特徴とする。
【発明の効果】
【００１１】
本発明の排水ドレイン構造は、排水処理が必要なモジュールまたは装置に取り付け、該モジュールまたは該装置と同様に積み重ねられることにより、該モジュールまたは該装置の上段のモジュールまたは装置の排水溝からの排水を入水手段で受けて、下部に設けた排水手段から排水する。次の下段に設けた入水手段では、さきに説明した排水手段からの排水と次の下段のモジュールまたは装置の排水溝からの排水を受けて、下部の排水手段から排水する。
【００１２】
このように、本発明によれば、順次下段に排水を行う排水ドレイン構造を構成することが可能であり、先に示したドレイン板と配水管を、モジュールまたは装置の台数分設けずに必要最小数とすることができ、また、排水管の接続の複雑性を回避して、ラックなどへの実装効率の改善が可能となる。
【図面の簡単な説明】
【００１３】
【図１】本発明の第１の実施形態の構成を示す斜視図（ａ）と、３面図（ｂ）である。
【図２】本発明の第１の実施形態の使用状態の説明図である。
【図３】本発明の第１の実施形態のラック実装例の側面透視図である。
【図４】本発明の第１の実施形態のラック実装例の斜視図である。
【図５】本発明の第２の実施形態の構成を示す斜視図（ａ）と、３面図（ｂ）である。
【図６】本発明の第２の実施形態のラック実装例の背面図である。
【図７】本発明の第３の実施形態の構成を示す斜視図（ａ）と、３面図（ｂ）である。
【図８】本発明の第３の実施形態のラック実装例の斜視図である。
【図９】本発明の第４の実施形態の構成を示す斜視図（ａ）と、３面図（ｂ）である。
【図１０】本発明の第４の実施形態のラック実装例の斜視図である。
【図１１】本発明の第５の実施形態の構成を示す斜視図（ａ）と、３面図（ｂ）である。
【図１２】本発明の第５の実施形態のラック実装例の斜視図である。
【図１３】本発明の第６の実施形態の構成を示す斜視図（ａ）と、３面図（ｂ）である。
【図１４】本発明の第６の実施形態のラック実装例の斜視図である。
【図１５】本発明の第７の実施形態の構成を示す斜視図（ａ）と、３面図（ｂ）である。
【図１６】本発明の第７の実施形態のラック実装の適用例１の側面透視図である。
【図１７】本発明の第７の実施形態のラック実装の適用例２の側面透視図である。
【図１８】本発明の第８の実施形態の構成を示す斜視図（ａ）と、３面図（ｂ）である。
【図１９】本発明の第８の実施形態のラック実装の適用例１の側面透視図である。
【図２０】本発明の第８の実施形態のラック実装の適用例２の側面透視図である。
【図２１】本発明の第９の実施形態の構成を示す斜視図（ａ）と、３面図（ｂ）である。
【図２２】本発明の第１０の実施形態の構成を示す斜視図（ａ）と、３面図（ｂ）である。
【図２３】本発明の第１０の実施形態のラック実装例の側面透視図である。
【図２４】本発明の第１１の実施形態の構成を示す斜視図（ａ）と、３面図（ｂ）である。
【図２５】本発明の第１１の実施形態のラック実装例の側面透視図である。
【図２６】本発明の第１２の実施形態の構成を示す斜視図（ａ）と、３面図（ｂ）である。
【図２７】本発明の第１２の実施形態のラック実装の適用例１の側面透視図である。
【図２８】本発明の第１２の実施形態のラック実装の適用例２の側面透視図である。
【図２９】本発明の第１２の実施形態のラック実装の適用例３の斜視図である。
【図３０】関連技術におけるラック実装の構成を示す斜視図である。
【発明を実施するための形態】
【００１４】
以下に、本発明の実施形態について図面を参照して詳細に説明する。
（第１の実施形態）
本発明の第１の実施形態について説明する。図１は、本発明の第１の実施形態の構成を示す斜視図（ａ）と、３面図（ｂ）である。図２は、本発明の第１の実施形態の使用状態の説明図である。図３は、本発明の第１の実施形態のラック実装例の側面透視図である。図４は、本発明の第１の実施形態のラック実装例の斜視図である。
【００１５】
図１（ａ）、（ｂ）に示した第１の実施形態において、排水カバー８は、排水を受け入れる入水手段として少なくとも一つの入水口６と、その排水を排出する排水手段として少なくとも一つの排水口７と、排水処理が必要な装置又はモジュール（本発明では、これを水冷装置と呼称する）への取り付け手段として少なくとも一つの取り付け部９とを備えている。本実施形態では、取り付け部９に、複数の取り付け穴９ａを設けている。尚、本発明においては、排水処理が必要な装置を、水冷装置と呼称する。
【００１６】
図２により、本実施形態での排水ドレイン構造を説明する。図２は、本発明の第１の実施形態の使用状態の説明図である。水冷装置１ａ、１ｂは、冷却水を排水する排水溝２を備えている。尚、ここでは説明の便宜上、２台の水冷装置を図示しているが、これには限定されない。本実施形態における排水ドレイン構造は、水冷装置１ａの下部に同様の水冷装置１ｂを積み重ねている状況において、上段に位置する水冷装置１ａの排水溝２の排水を受ける位置になるように排水カバー８を取り付けた、水冷装置１ｂを下段に置くことによって構成される。このとき、排水カバー８は、上段の水冷装置１ａの排水溝２の排水を受け入れる入水口６を備えている。また、排水カバー８は、自身が取り付け部９にて取り付けられている水冷装置１ｂの排水溝２を塞がない寸法とされている。そして、排水を行う排水口７は、水冷装置１ｂの排水溝２の位置から水平方向にずらした位置に設けられている。
【００１７】
図３には、本実施形態のラック実装例の側面からの透視図を示す。複数の水冷装置１を積み重ねて実装したラック５において、最上段の水冷装置１の排水溝２の排水を入水口６にて順次受けながら、排水口７にて順次下段に向けて排水する排水カバー８を、ラック５に実装の各下段の水冷装置１にそれぞれ取り付けることで、本実施形態の排水ドレイン構造が構成される。即ち、排水カバー８は、最上段の水冷装置以外の水冷装置の全てに取り付けられている。
【００１８】
図４により、本実施形態の排水ドレイン構造を説明する。図４は、本実施形態のラック実装例の斜視図である。これまで説明したとおり、水冷装置１を積み重ねて実装したラック５において、最上段に位置する水冷装置１の排水溝２の排水を、次の下段に位置する排水カバー８で受けることから始まる排水ドレイン構造は、最下段の水冷装置１に取り付けられている排水カバー８の排水口７からの排水と、最下段の水冷装置１自身の排水溝２の排水を、ラック５の最下段に設けたドレイン板３で受けて、そのドレイン板３に接続された排水管４にて排水処理を行う。即ち、複数の排水カバー８は、積み重ねられるように縦方向（垂直方向）に配置されている。以上の構成により、最上段の水冷装置１からの排水は、各排水カバー８を介して順次下段に排水され、中段の水冷装置１からの排水も当段以降の各排水カバー８に順次合流して下段に排水され、最下段に設けたドレイン板３で受けて排水管４にて排水処理されることとなる。
【００１９】
したがって、本実施形態では、これまで、水冷装置１に対して、ドレイン板３とそれに接続された排水管４が、水冷装置１の台数分それぞれ必要であったことを排除することが可能となる。また、ドレイン板３を実装するために各水冷装置１の実装間隔を空けて実装していたことによる実装効率を阻害していたドレイン板３を排除できることで、実装効率を改善することが可能となる。さらに、ドレイン板３にそれぞれ接続して排水を行う排水管４の本数を、最下段にのみ実装のドレイン板３に接続する排水管４のみとして排水を集約することとなって、排水管４の接続を最小数量にできるという効果が得られる。
（第２の実施形態）
次に、本発明の第２の実施形態について説明する。図５は、本発明の第２の実施形態の構成を示す斜視図（ａ）と、３面図（ｂ）である。図６は、本発明の第２の実施形態のラック実装例の背面図である。
【００２０】
図５（ａ）、（ｂ）に示した第２の実施形態において、排水カバー８は、取り付け手段としての取り付け部９の取り付け穴９ａを横長としたこと以外は、第１の実施形態と同様の構成を有している。よって、第１の実施形態と同一の構成要素には同一の参照数字を付記してその説明を省略する。
【００２１】
本実施形態での排水ドレイン構造を説明する。図６は、本実施形態のラック実装例の背面図である。本実施形態の排水ドレイン構造は、第１の実施形態の図２、図３、図４にて説明したと同様に、水冷装置１を積み重ねて実装したラック５において、上段に位置する水冷装置１の排水溝２の排水を受ける位置に、排水カバー８を取り付けた次の段の水冷装置１を順次下段に置くことによって構成される。
【００２２】
図６に示すとおり、各水冷装置１のラック５への取り付けの際には、その取り付け位置のラック横手方向の位置ズレや、水冷装置１自体の排水カバー８の取り付け部９に対応する取り付け位置精度に起因するラック横手方向の位置のズレが発生する。
【００２３】
本実施形態では、排水カバー８の取り付け部９に設けた取り付け穴９ａを横長として、各水冷装置１への排水カバー８の前述の取り付け位置ズレ１００に対応して、排水カバー８の取り付け位置を調整し、取り付けネジ９ｂにより取り付けることが可能となる。これにより、各排水カバー８を積み重ねて構成される排水ドレイン構造としての鉛直方向の位置を調整確保することができる。
【００２４】
したがって、本実施形態では、第１の実施形態と同様の効果に加えて、各排水カバー８の取り付け位置ズレ１００を調整できる手段を有することで、排水処理の安定性を確保できるという効果が得られる。
（第３の実施形態）
次に、本発明の第３の実施形態について説明する。図７は、本発明の第３の実施形態の構成を示す斜視図（ａ）と、３面図（ｂ）である。図８は、本発明の第３の実施形態のラック実装例の斜視図である。
【００２５】
図７（ａ）、（ｂ）に示した第３の実施形態において、排水カバー８は、排水口７に排水管４を接続可能とする排水管接続部１０を備えている。更に、図８に示した水冷装置１を実装するラック５に、排水カバー８を実装する排水カバー取り付け板１１が設けられている。この２点以外は、第１の実施形態と同様の構成を有しているので、第１の実施形態と同一の構成要素には同一の参照数字を付記してその説明を省略する。
【００２６】
図７の排水カバー８において、排水管４を排水管接続部１０に接続しない場合は、第１の実施形態にて説明した排水口７と同様に排水を行うことができる。排水管４を排水管接続部１０に接続する場合は、その接続された排水管４にて排水を行うことができる。
【００２７】
本実施形態での排水ドレイン構造は、第１の実施形態と同様に、水冷装置１を積み重ねて実装したラック５において、上段に位置する水冷装置１の排水溝２の排水を受ける位置に、排水カバー８を取り付けた次の段の水冷装置１を順次下段に置くことによって構成される。
【００２８】
さらに、図８により、本実施形態での排水ドレイン構造を説明する。図８は、本発明の第３の実施形態のラック実装例の斜視図である。本実施形態の排水ドレイン構造では、ラック５の中段に排水カバー取り付け板１１を取り付けて、この排水カバー取り付け板１１に排水管４を接続した排水カバー８を取り付けることで、排水管４を最下段に設置のドレイン板３に配して、上段からの排水処理を行うことができる。
【００２９】
このように、排水カバー取り付け板１１を使用して、複数の水冷装置１の排水処理のブロック化を行い、各ブロックの排水管４を最下段に設置のドレイン板３に配して、排水を合流させて排水処理を行うことができる。また、最下段に設置のドレイン板３を使用せず、各ブロックの排水管４により直接排水処理することもできる。
【００３０】
したがって、本実施形態では、第１の実施形態と同様の効果に加えて、本実施形態にて説明した排水処理のブロック化を行うことにより、排水が必要でない装置との混在実装を可能とし、装置実装の柔軟性を高める効果を得ることができる。さらに、水冷装置１から想定される排水量に対応した排水処理のブロック化を行うことで、適正な排水量に分割した排水処理を可能とする効果が得られる。そして、最下段に設けていたドレイン板３を使用しない排水システムを構築できるという効果も得られる。
（第４の実施形態）
次に、本発明の第４の実施形態について説明する。図９は、本発明の第４の実施形態の構成を示す斜視図（ａ）と、３面図（ｂ）である。図１０は、本発明の第４の実施形態のラック実装例の斜視図である。
【００３１】
図９（ａ）、（ｂ）に示した第４の実施形態において、排水カバー８は、入水手段としての入水口６に排水管４を受ける少なくとも一つの排水管受け口部１１を設けたこと以外は、第３の実施形態と同様の構成を有している。よって、第３の実施形態と同一の構成要素には同一の参照数字を付記してその説明を省略する。
【００３２】
図９（ａ）、（ｂ）において、入水口６に、排水管４の端部を受ける排水管受け口部１１を少なくとも一つ設けている。排水管受け口部１１に排水管４の端部を差し込んで保持し、排水管４からの排水を入水口６に安定に受け入れることを可能とする。
【００３３】
図１０により、本実施形態での排水ドレイン構造を説明する。図１０は、本発明の実施形態のラック実装例の斜視図である。本実施形態の排水ドレイン構造は、第３の実施形態で説明したと同様に、水冷装置１を積み重ねて構成される排水処理のブロック化を行うことができる。そして、上段に位置するブロックの排水管４の端部を、下段に位置するブロックの排水カバー８の入水口６に設けた排水管受け口部１１に差し込むことよって、各ブロックの排水を接続することができる。さらに、ラック５の最下段に位置するブロックの排水カバー８に接続された配水管４によって、排水処理を行うことができる。
【００３４】
したがって、本実施形態では、第３の実施形態と同様の効果に加えて、第３の実施形態で説明したブロック化による排水管４を、ブロック間で接続可能とするとともに、ラック５の外への排水管４を最小数にできるという効果が得られる。
（第５の実施形態）
次に、本発明の第５の実施形態について説明する。図１１は、本発明の第５の実施形態の構成を示す斜視図（ａ）と、３面図（ｂ）である。図１２は、本発明の第５の実施形態のラック実装例の斜視図である。
【００３５】
図１１（ａ）、（ｂ）に示した第５の実施形態において、排水カバー８は、その高さ（Ｈ）を標準化し、高さ（Ｈ）の違う排水カバー８を少なくとも２種類以上準備すること以外は、第１の実施形態と同様の構成を有している。よって、第１の実施形態と同一の構成要素には同一の参照数字を付記してその説明を省略する。
【００３６】
図１１（ａ）、（ｂ）において、排水カバー８の高さ（Ｈ）を、予め決めた単位長さ（Ｕ）の複数倍（ｎ＝１〜ｎ）の標準化を行い、その高さ（Ｈ）に対応した排水カバー８を予め準備する。
【００３７】
図１２により、本実施形態での排水ドレイン構造を説明する。図１２は、本実施形態のラック実装例の斜視図である。本実施形態の排水ドレイン構造は、第１の実施形態と同様に、水冷装置１の下部に同様の装置を積み重ねている状況において、上段に位置する水冷装置１の排水溝２の排水を受ける位置に、排水カバー８ａ、８ｂ、８ｃを取り付けた次の段の水冷装置１を順次下段に置くことによって構成される。
【００３８】
尚、ラック等に実装される水冷装置の高さは、ラック側にて予め準備される水冷装置の取り付け穴などの間隔によって標準化されることが一般的である。本実施形態では、水冷装置の高さの標準化に合わせ、排水カバー８の高さ（Ｈ）を同様に標準化し、水冷装置の高さに対応した高さ（Ｈ）の排水カバー８を予め準備する。尚、上述のように、排水カバー８の高さＨは、水冷装置１の排水溝２を塞がない寸法にする必要があるので、この高さＨは、その排水カバー８が取り付けられる水冷装置１の高さと一致するわけではない。図１２では、説明の便宜上、３種類の高さの水冷装置１に合わせて、高さの異なる排水カバー８ａ、８ｂ、８ｃを図示しているが、これに限定されるものではない。
【００３９】
したがって、本実施形態では、第１の実施形態と同様の効果に加えて、予め装置の高さが標準化された水冷装置１の装置の高さに合致する排水カバー８を準備して取り付けることにより、装置の高さの異なる水冷装置１をラック５に混在させた実装に柔軟に対応できる効果が得られる。
（第６の実施形態）
次に、本発明の第６の実施形態について説明する。図１３は、本発明の第６の実施形態の構成を示す斜視図（ａ）と、３面図（ｂ）である。図１４は、本発明の第６の実施形態のラック実装例の斜視図である。
【００４０】
図１３（ａ）、（ｂ）に示した第６の実施形態において、排水カバー８は、その高さ（Ｈ）の伸縮手段として伸縮部８１を設けること以外は、第１の実施形態と同様の構成を有している。よって、第１の実施形態と同一の構成要素には同一の参照数字を付記してその説明を省略する。
【００４１】
図１３（ａ）、（ｂ）において、排水カバー８は、自身の高さ（Ｈ）方向の一部を伸縮できるようにした伸縮部８１を備えている。本実施形態において、排水カバー８は、装置の高さに合わせて、排水カバー８の伸縮部８１を伸縮して取り付ける。
【００４２】
図１４により、本実施形態での排水ドレイン構造を説明する。図１４は、本実施形態のラック実装例の斜視図である。本実施形態の排水ドレイン構造は、第１の実施形態と同様に、水冷装置１の下部に同様の水冷装置を積み重ねている状況において、上段に位置する水冷装置１の排水溝２の排水を受ける位置に、排水カバー８１ａ、８１ｂ、８１ｃを取り付けた次の段の水冷装置１を順次下段に置くことによって構成される。
【００４３】
尚、ラック等に実装される水冷装置の高さは、ラック側にて予め準備される水冷装置の取り付け穴などの間隔によって標準化されることが一般的である。本実施形態では、排水カバー８の高さ（Ｈ）を伸縮できる伸縮部８１を備えることにより、水冷装置１の高さに合わせて、伸縮部８１を伸縮して取り付ける。図１４では、説明の便宜上、３種類の高さの水冷装置１に合わせて、各伸縮部８１を伸縮させた高さの異なる排水カバー８１ａ、８１ｂ、８１ｃを図示しているが、これに限定されるものではない。
【００４４】
したがって、本実施形態では、第１の実施形態と同様の効果に加えて、第５の実施形態のように複数種類の高さ（Ｈ）の排水カバー８を予め準備することなく、装置の高さの異なる水冷装置１をラック５に混在させた実装に柔軟に対応できる効果が得られる。
【００４５】
なお、伸縮部８１は、伸縮する素材として樹脂素材や防湿性の伸縮布素材を使用する、または、伸縮できる構造として蛇腹構造や折り畳み構造を有したもので実現する、または、伸縮する素材と伸縮できる構造を組み合わせて実現することができる。
（第７の実施形態）
次に、本発明の第７の実施形態について説明する。図１５は、本発明の第７の実施形態の構成を示す斜視図（ａ）と、３面図（ｂ）である。図１６は、本発明の第７の実施形態のラック実装例１の側面透視図である。図１７は、本発明の第７の実施形態のラック実装例２の側面透視図である。
【００４６】
図１５（ａ）、（ｂ）に示した第７の実施形態において、排水カバー８は、入水手段としての入水口６の取り付け部９の方向に入水手段としての内側取水板１３を設けたこと以外は、第１の実施形態と同様の構成を有している。よって、第１の実施形態と同一の構成要素には同一の参照数字を付記してその説明を省略する。
【００４７】
図１５（ａ）、（ｂ）において、排水カバー８は、入水口６の取り付け部９側に内側取水板１３を設けている。内側取水板１３は、受け取った排水を入水口６に流すように傾斜を有して排水カバー８に設けられる。
【００４８】
図１６により、本実施形態での排水ドレイン構造を説明する。図１６は、本発明の実施形態のラック実装の一適用例の側面からの透視図である。本実施形態の排水ドレイン構造は、第１の実施形態と同様に、水冷装置１の下部に同様の水冷装置を積み重ねている状況において、上段に位置する水冷装置１の排水溝２の排水を受ける位置に、排水カバー８を取り付けた次の段の水冷装置１を順次下段に置くことによって構成される。
【００４９】
図１６に示すとおり、排水カバー８を取り付けている水冷装置１のラック５への奥行き方向での取り付け位置のズレや、水冷装置１の奥行き方向での装置寸法の精度による排水カバー８の取り付け位置のズレが発生する。
【００５０】
本実施形態では、各排水カバー８に設けた内側取水板１３を設けることによって、水冷装置１への排水カバー８の前述の取り付け位置ズレ１０１に対応した排水ドレイン構造を確保することができる効果が得られる。
【００５１】
図１７により、本実施形態での排水ドレイン構造を説明する。図１７は、本発明の実施形態のラック実装の別の適用例の側面からの透視図である。図１７に示すとおり、本実施形態の例においても、水冷装置１の前述の取り付け位置ズレを吸収できることに加えて、水冷装置１の奥行き方向への装置寸法が相違している場合においても、水冷装置１を上段の水冷装置１から順に奥行きの長い水冷装置１をラック５に実装し、各排水溝２の排水を下段の排水カバー８の内側取水板１３で受けて入水口６に流すことができる。
【００５２】
したがって、本実施形態では、第１の実施形態と同様の効果に加えて、各排水カバー８に内側取水板１３を設けることによって、水冷装置１の奥行き方向の取り付け位置ズレ、および、奥行き寸法の相違に対応できる効果が得られる。
（第８の実施形態）
次に、本発明の第８の実施形態について説明する。図１８は、本発明の第８の実施形態の構成を示す斜視図（ａ）と、３面図（ｂ）である。図１９は、本発明の第８の実施形態のラック実装の適用例１の側面透視図である。図２０は、本発明の第８の実施形態のラック実装の適用例２の側面透視図である。
【００５３】
図１８（ａ）、（ｂ）に示した第８の実施形態において、排水カバー８は、入水手段としての入水口６の取り付け部９の向かい側に入水手段として外側取水板１４を設けたこと以外は、第１の実施形態と同様の構成を有している。よって、第１の実施形態と同一の構成要素には同一の参照数字を付記してその説明を省略する。
【００５４】
図１８（ａ）、（ｂ）において、排水カバー８は、入水口６において、取り付け部９とは反対側の位置から外側に伸びる外側取水板１４を設けている。外側取水板１４は、受け取った排水を入水口６に流すように傾斜を有して排水カバー８に設けられる。
【００５５】
図１９により、本実施形態での排水ドレイン構造を説明する。図１９は、本発明の実施形態のラック実装の一適用例の側面からの透視図である。本実施形態の排水ドレイン構造は、第１の実施形態と同様に、水冷装置１の下部に同様の水冷装置を積み重ねている状況において、上段に位置する水冷装置１の排水溝２の排水を受ける位置に、排水カバー８を取り付けた次の段の水冷装置１を順次下段に置くことによって構成される。
【００５６】
図１９に示すとおり、排水カバー８を取り付けている水冷装置１のラック５への奥行き方向での取り付け位置のズレや、水冷装置１の奥行き方向での装置寸法の精度による排水カバー８の取り付け位置のズレが発生する。
本実施形態では、各排水カバー８に設けた外側取水板１４を設けることによって、水冷装置１への排水カバー８の前述の取り付け位置ズレ１０２に対応した排水ドレイン構造を確保することができる効果が得られる。
【００５７】
図２０により、本実施形態での排水ドレイン構造を説明する。図２０は、本発明の実施形態のラック実装の別の適用例の側面からの透視図である。図２０に示すとおり、本実施形態の例においても、排水カバー８を取り付けている水冷装置１のラック５への奥行き方向への装置寸法が相違している場合において、水冷装置１を上段の水冷装置１から順に奥行きの短い水冷装置１をラック５に実装し、各排水溝２の排水を下段の排水カバー８の外側取水板１４で受けて入水口６に流すことができる。
【００５８】
したがって、本実施形態では、第１の実施形態と同様の効果に加えて、各排水カバー８に外側取水板１４を設けることによって、水冷装置１の奥行き方向の取り付け位置ズレ、および、奥行き寸法の相違に対応できる効果が得られる。
（第９の実施形態）
次に、本発明の第９の実施形態について説明する。図２１は、本発明の第９の実施形態の構成を示す斜視図（ａ）と、３面図（ｂ）である。
【００５９】
図２１（ａ）、（ｂ）に示した第９の実施形態において、排水カバー８は、入水手段としての内側取水板１３の裏面に突起１３ａを設けたこと以外は、第７の実施形態と同様の構成を有している。よって、第７の実施形態と同一の構成要素には同一の参照数字を付記してその説明を省略する。
【００６０】
本実施形態の例では、第７の実施形態と同様の効果を得ることができる。さらに、図２１（ｂ）に示すとおり、内側取水板１３の裏面に突起１３ａを設けることにより、内側取水板１３の傾斜を安定させ、内側取水板１３による排水を受ける機能を安定させることができる。この突起１３ａは、所定幅の隆起を有する隆状であっても、山型であっても良い。
【００６１】
したがって、本実施形態では、第１の実施形態と同様の効果に加えて、第７の実施形態で説明した内側取水板１３を設けることによって、第７の実施形態と同様の効果が得られる。さらに、内側取水板１３の裏面の突起１３ａによって、内側取水板１３の傾斜を保持して、内側取水板１３による排水を受ける機能を安定確保できる効果が得られる。
（第１０の実施形態）
次に、本発明の第１０の実施形態について説明する。図２２は、本発明の第１０の実施形態の構成を示す斜視図（ａ）と、３面図（ｂ）である。図２３は、本発明の第１０の実施形態のラック実装例の側面透視図である。
【００６２】
図２２（ａ）、（ｂ）に示した第１０の実施形態において、排水カバー８は、取り付け手段としての取り付け部９を、入水手段としての内側取水板１３と兼用するように設けたこと以外は、第７の実施形態と同様の構成を有している。よって、第７の実施形態と同一の構成要素には同一の参照数字を付記してその説明を省略する。
【００６３】
図２２（ａ）、（ｂ）において、内側取水板１３には、受け取った排水を入水口６に流すように傾斜を有して排水カバー８に設け、さらに、排水カバー８を水冷装置に取り付ける取り付け部９を、内側取水板１３に設けている。
【００６４】
図２３により、本実施形態での排水ドレイン構造を説明する。図２３は、本発明の実施形態のラック実装例の側面からの透視図である。本実施形態の排水ドレイン構造は、水冷装置１の底部に、水冷装置１の排水溝２の排水を入水口６にて受けて、下部の排水口７から排水する排水カバー８を、取り付け部９にて取り付けて構成される。即ち、図２３では、最上段の水冷装置１の底部に、排水カバー８が取り付けられている。
【００６５】
このとき、排水カバー８は、自身が取り付けられている水冷装置１の排水溝２の排水を受け入れる入水口６を備え、次の下段の水冷装置１の排水溝２を塞がず、また排水を行う排水口７を、排水溝２の位置から水平にずらした位置に設けている。
【００６６】
したがって、本実施形態では、これまで説明した実施形態と同様に、積み重ねによる排水ドレイン構造を提供できるとともに、これまでの実施形態とは異なって、自水冷装置１の排水溝２の排水を、自水冷装置１の底部に取り付けた排水カバー８の入水口６にて受け、排水口７にて排水処理する排水ドレイン構造を提供できる効果が得られる。
（第１１の実施形態）
次に、本発明の第１１の実施形態について説明する。図２４は、本発明の第１１の実施形態の構成を示す斜視図（ａ）と、３面図（ｂ）である。図２５は、本発明の第１１の実施形態のラック実装例の側面透視図である。
【００６７】
図２４（ａ）、（ｂ）に示した第１１の実施形態において、排水カバー８は、入水手段としての入水口６に排水口接続部１５を設けたこと以外は、第１０の実施形態と同様の構成を有している。よって、第１０の実施形態と同一の構成要素には同一の参照数字を付記してその説明を省略する。
【００６８】
図２４（ａ）、（ｂ）において、排水カバー８の入水口６は、上段に位置する排水カバー８の排水口７の端部を差し込んで接続する排水口接続部１５を有している。
【００６９】
図２５により、本実施形態での排水ドレイン構造を説明する。図２５は、本発明の実施形態のラック実装例の側面からの透視図である。本実施形態の排水ドレイン構造は、第１０の実施形態と同様に、水冷装置１の底部に、水冷装置１の排水溝２の排水を入水口６にて受けて、下部の排水口７から排水する排水カバー８を取り付け部９にて取り付けて構成される。さらに、本実施形態では、上段の排水カバー８の排水口７の端部を、次の段の排水カバー８の入水口６に設けた排水口接続部１５に差し込んで接続することができる。
【００７０】
したがって、本実施形態は、第１０の実施形態の効果に加えて、排水口７の端部を次の段の排水口接続部１５に接続して構成することにより、堅牢な構造とした排水ドレイン構造を提供できる効果が得られる。
（第１２の実施形態）
次に、本発明の第１２の実施形態について説明する。図２６は、本発明の第１２の実施形態の構成を示す斜視図（ａ）と、３面図（ｂ）である。図２７は、本発明の第１２の実施形態のラック実装例１の側面透視図である。図２８は、本発明の第１２の実施形態のラック実装例２の側面透視図である。図２９は、本発明の第１２の実施形態のラック実装例３の斜視図である。
【００７１】
図２６（ａ）、（ｂ）に示した第１２の実施形態において、排水カバー８は、入水手段としての入水口６に排水管受け口部１２を設け、排水手段としての排水口７に排水管接続部１０を設けたこと以外は、第１０の実施形態と同様の構成を有している。よって、第１０の実施形態と同一の構成要素には同一の参照数字を付記してその説明を省略する。
【００７２】
図２６（ａ）、（ｂ）において、内側取水板１３は、受け取った排水を入水口６に流すように傾斜を有して排水カバー８に設けられ、排水カバー８を水冷装置に取り付ける取り付け部９が内側取水板１３に設けている。さらに、入水口６には、排水管４の端部を差し込んで受ける排水管受け口部１２が設けられ、排水口７には、排水管４を接続する排水管接続部１０を有している。
【００７３】
図２７により、本実施形態での排水ドレイン構造を説明する。図２７は、本発明の実施形態のラック実装の一適用例の側面からの透視図である。本実施形態の排水ドレイン構造は、上段の水冷装置１の排水溝２からの排水を、この水冷装置１の底部に取り付けた排水カバー８の入水口６で受け、この水冷装置１の下段の水冷装置１の排水溝２の排水と、この排水カバー８の排水口７の排水を、下段の水冷装置１の底部に取り付けた排水カバー８に受けることで構成される。
【００７４】
図２８により、本実施形態での排水ドレイン構造を説明する。図２８は、本発明の実施形態のラック実装の第二の適用例の側面からの透視図である。本実施形態の排水ドレイン構造は、上段の水冷装置１の排水溝２からの排水を、この水冷装置１の底部に取り付けた排水カバー８の入水口６で受け、この水冷装置１の下段の水冷装置１の排水溝２の排水と、この排水カバー８の排水口７の配水管接続部１０に配水管４を接続してこの配水管４の端部を、下段の水冷装置１の底部に取り付けた排水カバー８の入水口６に設けた配水管受け口部１１に受けることで構成される。このように、上段からの排水を排水管４の接続を介して受ける構造とすることにより、水冷装置１の高さや奥行きの相違、および、それらの寸法精度や取り付け位置ズレに対応できる効果が得られる。
【００７５】
さらに、図２９に示すとおり、水冷装置１の排水溝２の位置の相違、および、その寸法精度や取り付け位置ズレに対応できる効果が得られる。また、第３の実施形態および第４の実施形態と同様に、排水処理のブロック化により、排水処理が必要でない装置との混在実装できるとともに、排水量の適正化を図って各ブロックでの排水を行える効果が得られる。そして、排水カバー８の入水口６に、排水管４を受ける排水管受け口部１２を複数設けることで、各ブロックの排水管４を集約し、配水管４の本数を最小とすることができる効果が得られる。
【００７６】
したがって、本実施形態では、排水口７の配水管接続部１０に排水管４を接続し、配水管４を入水口６の排水管受け口部１２に差し込むまたは直接排水処理することで、水冷装置１の装置の高さまたは奥行き方向の寸法の相違または排水溝２の位置の相違、または、それらにかかわる寸法精度や取り付け位置ズレに柔軟に対応できる効果が得られる。さらに、第３の実施形態および第４の実施形態と同様に、水冷装置１のブロック化を行って、排水処理が必要でない装置との混在実装を可能とし、排水量の適正化を図った各ブロックでの排水を行う効果が得られる。
【００７７】
なお、本願発明は、上述の各実施形態に限定されるものではなく、本願発明の要旨を逸脱しない範囲で種々変更、変形して実施することが出来る。
【産業上の利用可能性】
【００７８】
本発明は、水冷装置を積み重ねて実装する排水システムに利用可能である。
【符号の説明】
【００７９】
１    水冷装置
１ａ    水冷装置
１ｂ    水冷装置
２    排水溝
３    ドレイン板
４    排水管
５    ラック
６    入水口
７    排水口
８    排水カバー
８ａ    排水カバー
８ｂ    排水カバー
８ｃ    排水カバー
８１    伸縮部
８１ａ    排水カバー
８１ｂ    排水カバー
８１ｃ    排水カバー
９    取り付け部
９ａ    取り付け穴
９ｂ    取り付けネジ
１０    排水管接続部
１１    排水カバー取り付け板
１２    排水管受け口部
１３    内側取水板
１３ａ    突起
１４    外側取水板
１５    排水口接続部
１００    取り付け位置ズレ
１０１    取り付け位置ズレ
１０２    取り付け位置ズレ
【図１】
0005910235.tif 000002
【図２】
0005910235.tif 000003
【図３】
0005910235.tif 000004
【図４】
0005910235.tif 000005
【図５】
0005910235.tif 000006
【図６】
0005910235.tif 000007
【図７】
0005910235.tif 000008
【図８】
0005910235.tif 000009
【図９】
0005910235.tif 000010
【図１０】
0005910235.tif 000011
【図１１】
0005910235.tif 000012
【図１２】
0005910235.tif 000013
【図１３】
0005910235.tif 000014
【図１４】
0005910235.tif 000015
【図１５】
0005910235.tif 000016
【図１６】
0005910235.tif 000017
【図１７】
0005910235.tif 000018
【図１８】
0005910235.tif 000019
【図１９】
0005910235.tif 000020
【図２０】
0005910235.tif 000021
【図２１】
0005910235.tif 000022
【図２２】
0005910235.tif 000023
【図２３】
0005910235.tif 000024
【図２４】
0005910235.tif 000025
【図２５】
0005910235.tif 000026
【図２６】
0005910235.tif 000027
【図２７】
0005910235.tif 000028
【図２８】
0005910235.tif 000029
【図２９】
0005910235.tif 000030
【図３０】
0005910235.tif 000031